(57)【要約】  本発明は、光を導光し、その光を第１の方向に出射するように構成された、第１の導光部材と、光を導光し、その光を別の第２の方向に出射するように構成された、第２の導光部材と、光源から光を受け、その光を第１の導光部材および第２の導光部材内に導光するように構成された、分割構造とを含み、その分割構造が、光源からの光の第１の割合分を第１の導光部材内に導光し、光源からの光の第２の割合分を第２の導光部材内に導光するための、調整可能な分割手段を含んでいることを特徴とする照明デバイスを提供する。
2010527105.tif 000002
【特許請求の範囲】
【請求項１】
光を導光し、該光を第１の方向に出射するように構成された、第１の導光部材と、
光を導光し、該光を、前記第１の方向とは異なる第２の方向に出射するように構成された、第２の導光部材と、
光源から光を受け、該光を、前記第１の導光部材および前記第２の導光部材内に導光するように構成された、分割構造とを含み、
前記分割構造が、
前記光源からの光の第１の割合分を前記第１の導光部材内に導光し、前記光源からの光の第２の割合分を前記第２の導光部材内に導光するための、調整可能な分割手段を含んでいる
ことを特徴とする照明デバイス。
【請求項２】
前記第１の方向および前記第２の方向に同時に光を出射するように構成されていることを特徴とする請求項１記載の照明デバイス。
【請求項３】
前記第１の方向が、アップライト照明を提供するのに適した方向とされており、
前記第２の方向が、ダウンライト照明を提供するのに適した方向とされていることを特徴とする請求項１または２記載の照明デバイス。
【請求項４】
前記第１の導光部材からの光出力を反射するように構成された、反射面を含むことを特徴とする請求項１から３いずれか１項記載の照明デバイス。
【請求項５】
前記第１の導光部材および／または前記第２の導光部材が、少なくとも１つのフラットパネル型の導光部材を含んでいることを特徴とする請求項１から４いずれか１項記載の照明デバイス。
【請求項６】
前記第１の導光部材および／または前記第２の導光部材が、複数の（フラット）パネル型の導光部材のスタックを含んでいることを特徴とする請求項５記載の照明デバイス。
【請求項７】
前記第２の導光部材が、前記第１の導光部材に隣接して、かつ前記第１の導光部材と平行に配されていることを特徴とする請求項５または６記載の照明デバイス。
【請求項８】
前記光源が、少なくとも１つのＬＥＤを含んでいることを特徴とする請求項１から７いずれか１項記載の照明デバイス。
【請求項９】
前記分割構造が、前記第１の割合および前記第２の割合を調整するために前記分割手段に接続された、コントローラを含んでいることを特徴とする請求項１から８いずれか１項記載の照明デバイス。
【請求項１０】
前記第１の割合または前記第２の割合が、０から１００％の間の任意の割合、たとえば１０％、２０％、３０％または５０％を含むことを特徴とする請求項１から９いずれか１項記載の照明デバイス。
【請求項１１】
前記分割手段が、
− 光の前記第１の割合分が前記第１の導光部材内に透過することを可能とする第１のスタックと、
− 光の前記第２の割合分が前記第２の導光部材内に透過することを可能とする第２のスタックとを含み、
前記第１のスタックおよび／または前記第２のスタックが、
− 第１の反射偏光層と、
− コントロール層と、
− 第２の反射偏光層とを含むものであることを特徴とする請求項１から１０いずれか１項記載の照明デバイス。
【請求項１２】
前記コントロール層が、（１／２）λ層を含んでいることを特徴とする請求項１１記載の照明デバイス。
【請求項１３】
前記コントロール層が、液晶層を含んでいることを特徴とする請求項１１記載の照明デバイス。
【請求項１４】
前記第１のスタックおよび／または前記第２のスタックが、追加の（１／８）λ層、（１／４）λ層または（１／２）λ層を含んでいることを特徴とする請求項１１記載の照明デバイス。
【請求項１５】
前記分割手段が、入射光を反射する１つまたは複数のミラーを含んだスライド可能なミラーアセンブリと、入射光の通過を可能とする１つまたは複数の開口とを含んでいることを特徴とする請求項１から１４いずれか１項記載の照明デバイス。
【発明の詳細な説明】
【技術分野】
【０００１】
本発明は、調節可能な照明を提供する照明デバイスに関するものである。
【背景技術】
【０００２】
以下は一般的なイントロダクションを提供するものであり、ウィキペディア（Wikipedia）からの抜粋を含んでいる。http://en.wikipedia.org/wiki/Lighting#Fixturesを参照されたい。
【０００３】
照明器具は、様々な機能のために、広範なスタイルで販売されている。非常にシンプルで機能的なものもあれば、それ自体芸術品であるようなものもある。熱に耐えることができ、かつ安全基準に適合するものであれば、ほぼあらゆる材料を使用することができる。
【０００４】
照明タイプは、汎用照明、局所照明または作業照明といったような、意図する用途によって分類され、これは、その照明器具により生成される光の分布に大きく依存する。
【０００５】
汎用照明は、２つのものの間を満たすものであり、ある領域を全般的に照明することを意図されている。屋内においては、これは卓上もしくは床上の基本的なランプ、または天井に取り付けられた照明器具とされる。屋外においては、歩行者や運転者はすでに暗がりに慣れており、領域を横切るのにほとんど光を必要としないので、駐車場用の汎用照明は、１０−２０ルクス程度（１−２フートキャンドル程度）の低いものでよい。
【０００６】
作業照明は、読書や材料検査といったような目的のため、主として機能的であり、通常は最も集中させられた照明である。たとえば、低い読書の質を再生するためには、最大１５００ルクス（１５０フートキャンドル）の作業照明レベルが必要であるかもしれず、またいくつかの検査作業や外科手術作業には、さらに高いレベルが必要とされる。
【０００７】
作業照明は、グレアに関する基準を有し得る。ここで、グレアとは、過剰な照明を意味する。第１のタイプのグレアは、建具で反射される光がまぶしすぎる場合に生じる。この第１のタイプの過剰照明は、屋内においては、たとえば、付随的な照明については光レベルが５００ルクスを超えた際に、汎用オフィス照明の用途については光レベルが８００ルクスを超えた際に、または特定目的照明の用途については光レベルが１５００ルクスを超えた際に生じ得る。ここで、昼間の太陽は、緯度、一年の中の時期および曇天状態に応じて、約３２０００から１０００００ルクスを供給する点に留意されたい。別のタイプのグレアは、直接照明を包含する。この第２のタイプの過剰照明を屋内において防止するためには、たとえば法線（垂線）に対して約６０°の角度の外において、明るさが１０００Ｃｄ／ｍ２に制限され得る。半値全幅が、照明器具の最大光出力強度の半分の値における、発散角度として規定される。
【０００８】
局所照明は、絵画、植物もしくはその他のインテリアデザイン要素、または造園景観に光を当てることを意図して、主として装飾目的で行われる。
【０００９】
上記の照明タイプを実現する方法には、アップライト照明、ダウンライト照明、フロントライト照明およびバックライト照明が含まれる。
【００１０】
最も一般的であるダウンライト照明では、天井、または天井の凹部に、下向きに光を放つ照明器具が取り付けられる。これは、傾向として、オフィスおよび家庭の両方において使用される、最もよく用いられる方法である。このダウンライト照明はデザインが容易であるが、多数の取付器具が存在するため、過剰なエネルギー消費およびグレアに関して、問題が生じ得る。
【００１１】
アップライト照明は、間接光を天井ではね返し、下へと向けるために用いられることが多い。このアップライト照明は、最小限のグレアおよび均質な汎用照明レベルを必要とする照明用途に、よく使用される。アップライト（間接）照明は、拡散表面を用いて空間内に光を反射するものであり、コンピュータディスプレイその他の暗く光沢のある面上における、妨害的なグレアを最小限に抑えることができる。これは、動作中の光出力のより均質なプレゼンテーションを付与する。
【００１２】
フロントライト照明も非常に一般的であるが、目に見える陰影をほとんど生じさせないため、対象物を平坦に見せる傾向がある。側方からの照明は、肉眼のレベルに近いグレアを生じさせる傾向があるため、一般性はより低い。対象物周囲または対象物を通してのバックライト照明は、主としてアクセントのために行われる。
【００１３】
「建築照明デザイン」とも呼ばれる、建築された環境に適用される照明デザインは、科学的なものであると同時に美術的なものでもある。総合的な照明デザインは、供給される機能的な光の量、消費されるエネルギー、およびその照明システムにより供給される美観的な影響の考察を必要とする。外科手術センターやスポーツ施設といったような建物では、関連する作業に適した量の光を供給することが、主たる関心事となる。倉庫やオフィスビルといったような建物では、照明システムのエネルギー効率を通じて、費用を節約することが主たる関心事となる。カジノや劇場といったような建物では、照明システムを通じて、見た目および情緒的な影響を高めることが主たる関心事となる。そのため、光の生成および照明器具の光度といった科学的側面と、我々の建築環境中における媒体としての光の美術的なアプリケーションとの、バランスを取ることが重要である。これらの電気照明システムではまた、日中の光の系の影響を考慮に入れるべきであり、理想的には、これらの電気照明システムは、日中の光の系と一体化させられるべきである。
【００１４】
上記で述べたように、オーバーヘッドＴＬ照明器具といったようないくつかのランプは、作業光を供給する。たとえばシャンデリアのような他のランプは、汎用光を供給する。２つの異なる照明タイプのために２つの異なるランプを付与するのは高コストであるため、両方の光のタイプを単一の照明器具に統合することができれば有利である。
【００１５】
国際公開ＷＯ２００６／０４３１９６Ａ１号は、光ビームの整形を電気的にコントロールするための装置を提供している。この装置は、光源からの光ビームを整形するための一次光学系を含んでいる。またこの装置は、この一次光学系に隣接した、電気制御される散乱素子も含んでいる。この散乱素子は、ポリマー分散液晶（ＰＤＬＣ）または液晶（ＬＣ）ゲルを含むものであってもよい。散乱素子から来る散乱、回折または屈折させられた光ビームを整形するため、この散乱素子に隣接して、二次光学系が付与されている。しかしながら、光ビームの調整は、半値全幅の発散角度を左右することに限定されている。
【発明の概要】
【発明が解決しようとする課題】
【００１６】
本発明は、作業光と汎用光とを供給する方法および改善された照明器具を、提供することを目的とする。
【課題を解決するための手段】
【００１７】
本発明は、
− 光を導光し、その光を第１の方向に出射するように構成された、第１の導光部材と、
− 光を導光し、その光を別の第２の方向に出射するように構成された、第２の導光部材と、
− 光源から光を受け、その光を、上記の第１の導光部材および第２の導光部材内に導光するように構成された、分割構造とを含み、
その分割構造が、
− 光源からの光の第１の割合分を第１の導光部材内に導光し、光源からの光の第２の割合分を第２の導光部材内に導光するための、調整可能な分割手段を含んでいる
ことを特徴とする照明デバイスを提供する。
【００１８】
第１の方向への光出力は汎用照明を提供するものであってもよく、第２の方向への光出力は作業照明を提供するものであってもよい。この照明デバイスは、作業光のみならず汎用光も供給することができ、それらの供給を同時に行うことすらできるものであり、２つの別個の照明器具の機能を１つで併せ持つ。２つの機能を統合することは、効率的かつ省スペースであるのに加え、コストを低減させる。
【００１９】
１つの実施形態では、第１の方向はアップライト照明を提供するのに適したものとされ、第２の方向はダウンライト照明を提供するのに適したものとされる。この実施形態は、たとえば店舗内において展示物を照明するため、またはオフィス内において机上を照明するために有利である。
【００２０】
別の実施形態では、照明デバイスは、光出力を第１の方向に反射するための反射面を含むものとされる。反射された光は散乱され、したがってムード照明に適した一般的に暖かな感じの光を供給する。
【００２１】
第１および／または第２の導光部材は、フラットパネル型の導光部材を含んでいてもよいし、あるいは複数のフラットパネル型の導光部材のスタックを含んでいてもよい。これらの形態は、ＬＥＤ光源からの光を導光および分配するのに効率的である。
【００２２】
上記の分割手段が、光の第１の割合分が第１の導光部材内に透過することを可能とする第１のスタックと、光の第２の割合分が第２の導光部材内に透過することを可能とする第２のスタックとを含むものとされ、第１のスタックおよび／または第２のスタックが、第１の反射偏光層と、コントロール層と、第２の反射偏光層とを含むものとされてもよい。上記のコントロール層は、第１および／または第２の割合を、０から１００％の範囲内で精確に調整することを可能とする。
【００２３】
別の実施形態では、分割手段は、入射光を反射する１つまたは複数のミラーを含んだスライド可能なミラーアセンブリと、入射光の通過を可能とする１つまたは複数の開口とを含むものとされる。このスライド可能なミラーアセンブリも、第１および／または第２の割合を、０から１００％の範囲内で調整することを可能とする。さらに、このミラーアセンブリは、単純であり、堅牢であり、かつコスト効率がよい。ミラーは、ダイクロイックミラーまたはフィルタといったような、カラーフィルタを備えたものとされてもよい。
【図面の簡単な説明】
【００２４】
【図１】本発明の照明デバイスの１つの実施形態の側面図
【図２】図１の照明デバイスの上面図
【図３】本発明に従う分割手段の１つの実施形態の概略上面図
【図４】本発明に従う分割手段の別の実施形態の概略上面図
【図５】図３の分割手段を包含する分割構造の１つの実施形態の斜視図
【図６】図５の分割構造の側面図
【図７】本発明に従う分割構造の別の実施形態の斜視図
【図８】図７の分割構造の展開図
【図９】本発明の照明デバイスの別の実施形態の側面図
【図１０】図９の照明デバイスの上面図
【図１１】図９の照明デバイスの斜視図
【図１２】本発明の照明デバイスの別の実施形態の、第１の状態における側面図
【図１３】図１２の照明デバイスの上面図
【図１４】図１２の照明デバイスの、第２の状態における側面図
【図１５】本発明の照明デバイスの別の実施形態の側面図
【図１６】図１５の照明デバイスの上面図
【図１７】本発明の照明デバイスの別の実施形態の斜視図
【図１８】図１７の照明デバイスの１つの実施形態の上面図における、ダイヤグラムを示した図
【図１９】図１７の照明デバイスの別の実施形態の上面図における、ダイヤグラムを示した図
【図２０】円形の導光部材を有する、本発明の照明デバイスの別の実施形態の斜視図
【図２１】本発明の照明デバイスが付与された部屋の斜視図
【発明を実施するための形態】
【００２５】
図１および図２は、本発明に従う照明デバイス１を示しており、この照明デバイス１は、光４を導光および内部反射し、第１の方向６へと出射させるように構成された、第１の導光部材２を含んでいる。デバイス１はまた、光を導光および内部反射し、別の第２の方向へと出射させるように構成された、第２の導光部材８を含んでいる。第１の導光部材および第２の導光部材は、それぞれ第１の方向および第２の方向を決める反射面１０、１２を一端に含んだ、フラットパネル型の導光部材である。第１および第２の導光部材は、互いに隣接しており、かつ互いに平行とされている。
【００２６】
反対側の端部において、第１および第２の導光部材は、分割構造１６に結合されている。この分割構造１６は、光源１８から光を受け、その光の第１の割合分を第１の導光部材２内に導光し、かつその光の第２の割合分を第２の導光部材８内に導光するように構成されている。この分割構造は、光を内包するための反射壁２０、２２を有する、先細の要素を含んでいる。分割構造は、この先細の要素内に、光源１８からの光の第１の割合分が第１の導光部材内に透過することを可能とし、かつ光源からの光の第２の割合分が第２の導光部材内に透過することを可能とするための、調整可能な分割要素２４、２６を含んでいる。
【００２７】
この照明デバイスは、第１および第２の導光部材内に透過する上記の第１および第２の割合を調整するため、分割要素に結合されたコントローラ（図示せず）を含んでいる。
【００２８】
光源１８は、好ましくは発光ダイオード（ＬＥＤ）を含んでいる。デバイス１は、１つまたは複数のＬＥＤを含み得る。図２には、ＬＥＤ同士の間に、反射性のパーティション２８が示されている。この反射性のパーティション２８は、別個のＬＥＤから入来する光を隔てることを可能とする。たとえば、図２に示されている４つのＬＥＤ１８のうちの１つが白色光を供給し、別のＬＥＤが、それぞれ緑色、赤色および／または青色を供給するものとされてもよい。図２に示されている分割要素は、色を個別に切り換えるものであってもよい。たとえば、赤色光のすべてが第１の方向（すなわち図１における上向き方向）に向けられ、一方、緑色光のすべてが第２の方向（すなわち下向き方向）に向けられてもよい。
【００２９】
図３、４および６に示すように、分割要素２４、２６は、第１の反射偏光層（ＤＢＥＦ）３０と、コントロール層３２と、第２の反射偏光層（ＤＢＥＦ）３４とを包含する、スタックを含むものとされてもよい。コントロール層は、第１および第２のＤＢＥＦ層の間に配されている。
【００３０】
ＤＢＥＦは、反射性の偏光子である。すなわち、この材料は、一方の偏光方向由来の光を反射する一方、その偏光方向に対して垂直な他方の偏光方向由来の光に対しては透明である。
【００３１】
コントロール層は、液晶（ＬＣ）層を含むものであってもよい。このＬＣ層は、ＬＣ層を通過する光の偏光方向を、電場の影響下において切り換えることのできる、ＬＣ分子を含んでいる。たとえばＬＣ層３２に接続されたまたはＬＣ層３２のごく近傍に配された電極に適切な電圧を印加することによって、上記のような電場をＬＣ層に亘って印加することにより、ＬＣ分子の配向を調整することができる。電場をコントロールすることにより、ＬＣ層は、完全スイッチ（すなわちすべての偏光が透過または反射させられる）、または一部スイッチ（すなわち偏光の一部が透過し、第１および／または第２の割合を、０および５０％の間の任意の割合とすることを可能とする）を提供することができる。
【００３２】
オプションとして、図６に示すように、切換可能な要素のスタック２４および／または２６は、当該要素を通過する光を、１つの偏光方向から、その偏光方向に垂直な別の偏光方向に変換するための、遅延層３６を含むものとされてもよい。１つの実施形態では、切換可能な要素２４のみが、遅延層を含むものとされる。遅延層は、スタック２４および／または２６の、光源１８に面した側に配される（図６）。
【００３３】
遅延層は、たとえば、スタック２４または２６の一方に含まれる（１／４）λ層、（１／２）λ層、またはスタック２４および２６の両方に含まれる（１／８）λ層（図６）を含むものとされる。遅延層は、光の入射角に対して最適化されていることが好ましい。
【００３４】
分割要素２４、２６のＤＢＥＦ層３０の配向は、好ましくは同一とされる。ＤＢＥＦ層３４の配向は、ＬＣ層３２のタイプに依存する。典型的には、図３に示すように、ＤＢＥＦ層３４は、ＤＢＥＦ層３０の配向に対して約９０°回転させられた配向を有するものとされる。別の実施形態では、図４に示すように、両方の層３０および３４が、同一の配向を有するものとされる。
【００３５】
（１／４）λ層３６が含まれる場合には、その（１／４）λ層３６の軸は、第１のＤＢＥＦ層３０の偏光軸に対して、４５°の角度をなすよう配されることが好ましい。
【００３６】
図３および４の分割要素は、図３および４に示すスタックを通過する光が偏光されるという利点を有する。また、通過する光の明るさは、実質的に維持される。
【００３７】
１つの実用的な実施形態では、導光部材２、８の厚さは、少なくともランプ１８の外形寸法に匹敵する厚さとされる。分割手段２４、２６が図３、４のスタックを含んでいる場合には、導光部材の厚さは、ランプ１８の外形寸法の少なくとも２倍の厚さとされることが好ましい。ランプ１８がＬＥＤを含んでいる場合の例示的な外形寸法としては、約３ｍｍから約１０ｍｍの直径が含まれる。
【００３８】
図５および６は、図３および／または４のスタックを用いた、機械的に制御可能な１つの実施形態を示している。スタック２４、２６は、ハウジング４０内に配されている（図５）。このハウジング４０は、光を通過させるための開口４６を備えている。このハウジングはまた、軸４２を受けるための中央開口４８を含んでいる。第１のＤＢＥＦ層３０、第２のＤＢＥＦ層３４、および２つの（１／８）λ層３６は、ハウジング４０内に固定されている（図６）。光源１８は、ハウジング４０内に固定されたキャリア５０上に配されている。（１／２）λ層３２は、たとえば矢印４４の方向に回転することのできる、回転可能な軸４２に接続されている。
【００３９】
（１／２）λ層３２を含む軸４２を回転させることにより、分割要素２４、２６が通過させる光の割合が変化する。たとえば、当初状態において、光源１８からの光は、スタック２４を通過することができ（すなわち図６における上向き方向に）、スタック２６は、入射光の一部または全部を反射するものとされ得る。プレート３２を矢印４４の方向に回転させた後は、両方のスタック２４および２６が、光源１８からの光を通過させる。さらに続けて層３２を回転させると、すべての入射光がスタック２６を通過することができるようになる一方、スタック２４は入射光の一部または全部を反射するようになる。２つの偏光方向のうちの一方の光は常に反射されるので、ＤＢＥＦ／ＬＣ／ＤＢＥＦスタックは、ＬＣ層の状態に応じて、５０％から１００％の範囲内で入射光を反射する点に留意されたい。しかしながら、追加の遅延層、たとえば（１／８）λ層または（１／２）λ層は、反射光の偏光方向を変化させる。そのため、光がＤＢＥＦ／ＬＣ／ＤＢＥＦスタックに戻って来ると、その光は別の偏光方向で伝播する。したがって、ＬＣ層が正しい状態にあれば、この構成は、１００％の光の透過も可能とする。
【００４０】
別の実施形態では、分割要素２４、２６は、ＬＣゲルおよび／またはポリマー分散液晶（ＰＤＬＣ）層を含むものとされる。このゲルまたは層は、電場の印加により、透明状態と散乱状態との間で切換えが可能である。層が十分厚い場合には、その層は、散乱状態にある際には、すべての入射光を散乱させる。そのため、この要素は、入射光を通過させる動作と、光をブロックし一部反射させる動作とのいずれかを行うことができる。
【００４１】
図７および８に示した実施形態では、分割構造１６は、反射壁２０、２２を含んでいる。一例として、壁２０、２２は、互いに図１の照明デバイス１の実施形態に適した角度をなして配されている。光源１８は、キャリア５０上に配されている。互いに隣接する光源同士は、反射性のパーティション２８により分離されている。パーティション２８は、たとえば三角形状とされる。１つの実施形態では、分割要素２４、２６は、それぞれミラー５２、５４を含むものとされる。ミラー５２、５４は、パーティション２８に対してスライド可能なように構成されている。これらのミラーは、パーティション２８の外周に沿って、互いに角度をなすように配されている。別の実施形態では、要素５２、５４はカラーフィルタを含むものとされ、かかるカラーフィルタには、色吸収フィルタおよび／またはダイクロイックミラーもしくはフィルタが含まれる。
【００４２】
図７、８に示した分割構造が本発明の照明デバイスに包含されている場合には、この分割構造は、ミラー５２、５４を、パーティション２８に対して、壁２０、２２の長さ方向に機械的に移動させることにより、第１の方向への光の第１の割合と、第２の方向への光の第２の割合との調整を可能とする。第１の割合は、０と１００％との間の任意の割合とされ得る。第２の割合は、１００％から第１の割合を差し引いた割合である。
【００４３】
照明デバイス１００（図９−１１）は、光源１１８を含んでいる。光源１１８は、自己の側方に向かって光を発するＬＥＤを含んでいる。すなわち、光源１１８は、図１に示した光源１８に対して、垂直な向きに配されている。この照明デバイスは、一端においてそれぞれ反射面１１０、１１２を有する、第１の導光部材１０２および第２の導光部材１０８を含んでいる。反対側の端部において、導光部材１０２、１０８は、分割構造１１６に結合されている。図９に示すように、第１の導光部材１０２は、反射面１１０の方向に、光を内部反射する。反射面１１０は、入射光を第１の方向１０６に反射する。導光部材１０２、１０８および分割構造１１６は、実質的に、照明デバイス１（図１）の導光部材２、８および分割構造１６に対応する。
【００４４】
照明デバイス２００（図１２−１４）は、分割構造２１６内に光を発するように構成された、側方放射ＬＥＤ２１８を含んでいる。分割構造２１６は、切換可能な要素２２４、２２６を含んでいる。光源２１８同士は、反射性のパーティション２２８により分離されている。
【００４５】
照明デバイス２００は、光２０４を導光および内部反射し、その光を第１の方向２０６に出射させるように構成された、第１の導光部材２０２を含んでいる。照明デバイス２００はまた、光２０５を導光および内部反射し、その光を別の第２の方向２０７に出射させるように構成された、第２の導光部材２０８を含んでいる。この第１の導光部材および第２の導光部材は、それぞれ端部２１０、２１２を有するフラットパネル型の導光部材である。第１および第２の導光部材は、互いに整列させられている。
【００４６】
それぞれの反対側の端部において、第１および第２の導光部材は、分割構造２１６に結合されている。この分割構造２１６は、光源２１８からの光の第１の割合分が第１の導光部材２０２内へと透過させられ、光源２１８からの光の第２の割合分が第２の導光部材２０８内へと透過させられるようになすための、調整可能な分割要素２２４、２２６を含んでいる。
【００４７】
分割要素２２４、２２６は、図３から８に示す分割要素のいずれを含むものであってもよい。分割要素２２４、２２６がＰＤＬＣまたはＬＣゲルを含むものである場合には、この分割要素は、当該分割要素を通過する光を平行光化するコリメータを含むものとされ得る。光源２１８からの光の任意の割合分が、第１の導光部材内および第２の導光部材内に向けられ得る。光２０５は、下向き方向に方向付けられ、第１の方向２０７に出射してもよい。光２０４は、上向き方向に方向付けられ、第２の方向２０６に出射してもよい（図１２）。切換可能な要素２２４は、すべての入射光２０４を第２の導光部材２０８内に向けて反射させるようにも調整され得る。その場合、光２０４は、矢印２０９の方向に出射する。
【００４８】
照明デバイス３００（図１５、１６）は、図１の照明デバイス１に概ね対応する。デバイス３００は、ダイクロイック構造３７０を含む。このダイクロイック構造は、第１および第２の導光部材２、８と、分割構造１６との間に配されている。このダイクロイック構造は、たとえば、光の１つの色（すなわち予め決められた波長範囲）を反射し、他の色（すなわち波長）に対しては透明となるように適合化された、ダイクロイックミラーおよび／またはフィルタを含むものとされる。
【００４９】
ダイクロイック構造３７０は、光の異なる色を混合するように、すなわち異なる波長を有する光を混合するように適合化される。これにより、照明器具３００の光出力の見た目が改善される。そのため、ダイクロイック構造３７０は、たとえばミラーおよび／またはフィルタ３７２、３７４を含むものとされる。ダイクロイックミラー３７２、３７４は、互いに予め決められた角度をなすように配されている。この予め決められた角度は、好ましくは１０から６０°の範囲内とされ、より好ましくは約２０°とされる。
【００５０】
実用上、ミラーおよび／またはフィルタ３７２、３７４には、ある特定の波長範囲に亘って光を反射し、その範囲外の光を透過するように設計された、光学的コーティングが施される。ダイクロイックミラーはたとえば、透明な基板と、その基板上に形成された誘電性の複数層構造とを含むものとされる。この誘電性の複数層構造は、たとえば、比較的高い屈折率を有する層と、比較的低い屈折率を有する層とが、交互に形成されて含まれるものとされる。各層は、予め決められた中心波長をλとして、約（１／４）λの光学的厚さを有するものとされる。
【００５１】
図１７−１９は、ダイクロイック構造を包含する、第１の導光部材４０２および第２の導光部材４０８を含む照明デバイス４００の実施形態を示している。これらの第１および第２の導光部材は、光源４１８からの光を導光するため、わずかに楔形とされた形状を有している。この導光部材は、分割要素４２４、４２６を含んでいる。第１および／または第２の導光部材内には、ダイクロイックミラー４７２、４７４が設けられている。
【００５２】
ダイクロイック構造は、好ましくは、光を平行光化し、かつ／または照明器具４００から出力される光の明るさを改善する。
【００５３】
図２０は、第１の円形導光部材５０２内および第２の円形導光部材５０８内に向けて光を発するように構成された、複数の光源５１８を含む照明器具５００を示している。これらの光源５１８は、導光部材内において、円形状に配されている。導光部材５０２、５０８は、それぞれ分割要素５２４および５２６を含んでいる。
【００５４】
この照明器具５００は、基本的には、図１２−１４に示した照明器具２００の、円形状の変更形態である。しかしながら、照明デバイス１、１００、３００および４００の円形状の変更形態も、同様に考えつくことができる。
【００５５】
図２１は、照明デバイス６００が付与された部屋６０１を示している。この部屋６０１は、側壁６８０、６８２、床６８４および天井６８６を有している。たとえばテーブル６９０を含む家具が、床上の特定の予め決められた位置に配置されている。
【００５６】
本発明に従う照明デバイス６００は、当該デバイスを調整するためのコントローラ（図示せず）を含んでいる。この照明デバイス６００は、第１の方向への第１の割合分の光６０６、および第２の方向への第２の割合分の光６０７を出射するものとされ得る。第１の方向への光６０６は、反射面として作用する天井６８６の、領域６０９に到達する。すなわち、領域６０９は、光６０６を反射し、その光を部屋６０１中に散乱させる。分割手段（たとえば図１参照）は、この第１の割合を減らすことによって、減光器として機能する。これらの反射、散乱および／または減光器作用に起因して、第１の方向の光６０６は、ムード照明を提供する。光６０７は、テーブル６９０の領域６１１上に向かって、直接下向きに方向付けられる。この光６０７は、本や商品等の物を照らし、作業照明を提供するのに適している。
【００５７】
第１の割合および第２の割合は、０から１００％の間の任意の割合、たとえば１０％、２０％、３０％または５０％を含むものとされ得る。照明デバイスは、光源１８により発せられた光の最大１００％を出力するので、照明デバイス内部において生じ得る損失を考慮に入れると、第１の割合と第２の割合との合計は、約１００％かそれ未満となる。こうして、本発明に係る照明デバイスは、第１の方向に第１の光出力を供給し、同時に、別の第２の方向に第２の光出力を供給することができる。
【００５８】
本発明は、上記で説明した実施形態に限定されるものではない。特許請求の範囲による技術的範囲内において、上記の実施形態の多くの変更例を考えることができる。たとえば、複数の実施形態の特徴が組み合わせられてもよい。また、２つの状態の切換えに代えて、３つ以上の状態の切換えが想定されてもよい。さらに、本発明に従う２つ以上の分割構造を連ねて設けることにより、光源からの光の出射方向として、３つ、４つ、あるいはより多くの方向を設けてもよい。別の実施形態では、本発明の照明器具は、たとえば光を平行光化もしくは集光するための光学素子、および／または導光部材の出射端近くに配されたコリメータもしくは拡散器といったような、他の光学素子を含むものとされてもよい。第１および第２の導光部材は、（ＬＥＤ）光源からの光を導光するのに適した、任意の導光部材を含み得る。導光部材は、反射壁を有する空気充填されたチャネルを含むものとされてもよい。
【図１】
2010527105.tif 000003
【図２】
2010527105.tif 000004
【図３】
2010527105.tif 000005
【図４】
2010527105.tif 000006
【図５】
2010527105.tif 000007
【図６】
2010527105.tif 000008
【図７】
2010527105.tif 000009
【図８】
2010527105.tif 000010
【図９】
2010527105.tif 000011
【図１０】
2010527105.tif 000012
【図１１】
2010527105.tif 000013
【図１２】
2010527105.tif 000014
【図１３】
2010527105.tif 000015
【図１４】
2010527105.tif 000016
【図１５】
2010527105.tif 000017
【図１６】
2010527105.tif 000018
【図１７】
2010527105.tif 000019
【図１８】
2010527105.tif 000020
【図１９】
2010527105.tif 000021
【図２０】
2010527105.tif 000022
【図２１】
2010527105.tif 000023
【国際調査報告】
2010527105.tif 000024
2010527105.tif 000025
2010527105.tif 000026